(57)【特許請求の範囲】
【請求項１】
積み重ねた配置形態にある複数の拡声器を相互連結するため、一拡声器は他の拡声器の索具側フレームと相互連結可能であり、相互連結した各拡声器は、左右の索具側フレームを装着できる複数の側部（sides）を有する、拡声器用の索具側フレームであって、該索具側フレームは、
複数の傾斜角度選択ピン孔、及び傾斜調節リンク収納用（stowing）溝を有するフレーム構造と；
少なくとも１つの留めピンと；
垂直方向に延在する各種長さの複数の傾斜角度スロットを有する上方向に延長可能な傾斜調節リンクであって、前記各傾斜角度スロットは下端部を有し、前記傾斜調節リンクは、結合用（linking）位置と複数の上昇した傾斜角度位置の間の前記傾斜調節リンク収納用溝中で垂直方向に移動可能であり、前記傾斜調節リンクの前記各上昇した傾斜角度位置は、前記フレーム構造に関して（relative to）、隣接する拡声器の索具側フレームのフレーム構造の傾斜角度と連携している、前記傾斜調節リンクと；
を備え、
前記結合用位置では、
前記傾斜調節リンクは、直上の拡声器の索具側フレームのフレーム構造にピン留めするため、前記フレーム構造から垂直方向に延長され、
前記フレーム構造の各傾斜角度選択ピン孔は、前記複数の傾斜角度スロットのうちの１つのスロットの下端部と整列して、該下端部上に種々の長さで配置され、これにより、前記少なくとも１つの留めピンのうちの１つの留めピンは、前記複数の傾斜角度選択ピン孔のうちの何れかの選択された１つのピン孔及び前記複数の傾斜角度スロットのうちの１つのスロット中に挿入でき、
前記各上昇した傾斜角度位置では、
前記傾斜調節リンクは、前記結合用位置中の該傾斜調節リンクの配置上を上昇し、
前記少なくとも１つの留めピンのうちの１つの留めピンは、前記複数の傾斜角度選択ピン孔のうちの選択された１つのピン孔及び前記複数の傾斜角度スロットのうちの１つのスロット中に挿入され、前記複数の傾斜角度スロットのうちの１つのスロットの下端部に隣接して、前記傾斜調節リンクの更なる上方向への移動を防止し、
こうして、前記傾斜角度調節リンクを、前記結合用位置において、直上にある拡声器の索具側フレームのフレーム構造にピン留めし、前記少なくとも１つの留めピンのうちの１つの留めピンを、前記複数の傾斜角度選択ピン孔のうちの選択された１つのピン孔及び前記複数の傾斜角度スロットのうちの１つのスロット中に挿入し、次いで、前記傾斜角度調節リンクを前記結合用位置から前記複数の上昇した傾斜角度位置のうちの１つの位置まで上げることにより、隣接する拡声器の索具側フレームのフレーム構造が、前記フレーム構造に関して所望の傾斜角度に設定される、前記拡声器用索具側フレーム。
【請求項２】
前記フレーム構造は、前方頂部コーナー領域、該前方頂部コーナー領域とは垂直方向反対側の前方底部コーナー領域を含み、前記傾斜調節リンク収納用溝は前記前方頂部コーナー領域に配置され、前記前方底部コーナー領域は傾斜調節リンク連結用ピン孔を備え、
前記傾斜調節リンクは、頂部ピン孔を備えると共に、収納（stowed）位置と前記結合用位置の間の前記傾斜調節リンク収納用溝内で垂直方向に移動可能であり、前記結合用位置は前記収納位置の上にあり、
前記結合用位置では、前記頂部ピン孔は前記傾斜調節リンクを直上の拡声器にピン留めするため、該直上の拡声器の索具側フレームのフレーム構造における前方底部コーナー領域の前記傾斜調節リンク連結用（interlocking）ピン孔と整列される請求項１に記載の拡声器用索具側フレーム。
【請求項３】
前記結合用位置において、底部留めピンが、前記傾斜調節リンクの頂部ピン孔及び隣接する拡声器の索具側フレームのフレーム構造の前方底部コーナー領域における傾斜調節リンク連結用ピン孔に挿入される請求項２に記載の拡声器用索具側フレーム。
【請求項４】
前記フレーム構造の前記前方頂部コーナー領域が、複数の傾斜角度留めピン孔を備え、
前記傾斜調節リンクが複数の傾斜角度ピン孔を有し、
前記複数の上昇した傾斜角度位置のうちの何れかの選択された１つの位置において、前記複数の傾斜角度ピン孔のうちの１つのピン孔及び前記複数の傾斜角度留めピン孔のうちの１つの留めピン孔への前記少なくとも１つの留めピンのうちの１つの留めピンの挿入によって前記傾斜調節リンクが前記上昇した傾斜角度位置に留まるように、前記複数の傾斜角度ピン孔のうちの１つのピン孔が前記複数の傾斜角度留めピン孔のうちの１つのピン孔と整列される請求項２に記載の拡声器用索具側フレーム。
【請求項５】
前記傾斜調節リンクが、丸い頂表面を含む頂端部を有し、
前記フレーム構造の前方底部コーナー領域が、前記傾斜調節リンク収納用溝とは反対側に傾斜調節リンク受取り用溝を含み、前記傾斜調節リンク受取り用溝は、前記傾斜調節リンクの丸い頂表面に対応する凹面の傾斜調節リンク案内表面を有し、これにより前記傾斜調節リンクの頂端部が、直上にある拡声器の索具側フレームのフレーム構造における傾斜調節リンク受取り用溝内まで持ち上げた時、前記頂表面が前記傾斜調節リンク案内表面と係合して、前記傾斜調節リンクを前記結合用位置に案内する請求項２に記載の拡声器用索具側フレーム。
【請求項６】
前記収納位置において、前記傾斜調節リンクが前記傾斜調節リンク収納用溝中に十分に引き込まれる（retract）請求項２に記載の拡声器用索具側フレーム。
【請求項７】
前記収納位置において、前記フレーム構造の前方頂部コーナー領域における傾斜角度選択ピン孔のうちの１つのピン孔が、前記傾斜調節リンクを前記収納位置にピン留めするため、前記傾斜調節リンクの頂部ピン孔と整列される請求項２に記載の拡声器用索具側フレーム。
【請求項８】
前記フレーム構造が、内側プレート及び外側プレート；及び該内側プレートと外側プレートの間に夾まれた傾斜調節リンクフレーム部材を含む請求項２に記載の拡声器用索具側フレーム。
【請求項９】
前記外側プレートが垂直方向に延在する前方案内スロットを含み、
前記傾斜調節リンクが握りノブ取付け孔を備え、
前記握りノブ取付け孔に取付けられて、前記前方案内スロット中に滑動可能に受け取られる前方握りノブであって、該前方握りノブは前記外側プレートから外向きに延在し、手で握ることができ、これにより、該前方握りノブを前記前方案内スロット内で動かすと、前記傾斜調節リンクは前記傾斜調節リンク収納用溝内で動く、前記前方握りノブを更に備える請求項８に記載の拡声器用索具側フレーム。
【請求項１０】
前記フレーム構造は後方頂部コーナー領域及び後方底部コーナー領域を有し、該後方頂部コーナー領域は枢軸リンク収納用溝及び枢軸リンク留めピン孔を備え、該後方底部コーナー領域は枢軸リンク連結用ピン孔を有し、
上部ピン孔及び下部ピン孔を有する上方向に延長可能な枢軸リンクであって、該枢軸リンクは引込み（retracted）位置と上昇した相互連結用位置の間の前記枢軸リンク収納用溝内で垂直方向に移動可能であり、前記引込み位置では該枢軸リンクは前記枢軸リンク収納用溝内で引き込まれ、前記相互連結用位置では、
（ａ）前記上部ピン孔は、前記枢軸リンクを直上の拡声器にピン留めするための該直上の拡声器の索具側フレームのフレーム構造における後方底部コーナー領域の前記枢軸リンク連結用ピン孔と整列され、
（ｂ）前記下部ピン孔は、前記枢軸リンクを前記相互連結用位置内で前記フレーム構造にピン留めするため、前記枢軸リンク留めピン孔と整列される、前記枢軸リンクを更に備える請求項１に記載の拡声器用索具側フレーム。
【請求項１１】
前記枢軸リンクが凸面の頂表面を有し、
前記後方底部コーナー領域が前記枢軸リンク収納用溝とは反対側に配置された枢軸リンク受取り用溝を有し、該枢軸リンク受取り用溝は前記枢軸リンクの凸面頂表面に対応する凹面の枢軸リンク案内表面を有し、
これにより前記枢軸リンクを前記枢軸リンク受取り用溝内まで持ち上げた時、前記頂表面が前記枢軸リンク案内表面と係合して、前記枢軸リンクを前記相互結合用位置に案内する請求項１０に記載の拡声器用索具側フレーム。
【請求項１２】
前記引込み位置において、前記枢軸リンクは前記枢軸リンク収納用溝内に十分に引き込まれる請求項１０に記載の拡声器用索具側フレーム。
【請求項１３】
前記引込み位置において、前記フレーム構造の後方頂部コーナー領域における枢軸リンク留めピン孔及び前記枢軸リンクの上部ピン孔が、前記枢軸リンクを前記引込み位置にピン留めするため整列される請求項１０に記載の拡声器用索具側フレーム。
【請求項１４】
前記フレーム構造が内側プレート及び外側プレート；傾斜調節リンクフレーム部材；及び枢軸リンクフレーム部材を含み、該傾斜調節リンクフレーム部材及び枢軸リンクフレーム部材は前記内側プレートと外側プレートの間に挟まれる請求項１０に記載の拡声器用索具側フレーム。
【請求項１５】
前記外側プレートは垂直方向に延在する後方案内スロットを含み、
前記枢軸リンクは握りノブ取付け孔を含み、
前記握りノブ取付け孔に取り付けられて、前記後方案内スロット中に滑動可能に受け取られる後方握りノブであって、該後方握りノブは前記外側プレートから外向きに延在し、手で握ることができ、これにより、該後方握りノブを前記後方案内スロット内で動かすと、前記枢軸リンクは前記枢軸リンク収納用溝内で動く、前記後方握りノブを更に備える請求項１４に記載の拡声器用索具側フレーム。
【請求項１６】
前記フレーム構造が、一定間隔で配置された１対の頂部ロケータータブ及び一定間隔で配置された１対の底部ロケータータブを含み、頂部ロケータータブは底部ロケータータブよりも短かい距離で隔離され、これにより、前記フレーム構造が、積み重ねた配置形態にある他の一拡声器の側部フレームのフレーム構造の頂部に配置されると、前記頂部ロケータータブは前記底部ロケータータブの内部にぴったり収まる請求項１に記載の拡声器用索具側フレーム。
【発明の詳細な説明】
【技術分野】
【０００１】
本発明は拡声器索具システムに関し、更に詳しくは、拡声システムにおける多数の拡声器を積重ねた配列を聴衆に対し所定位置に懸垂するための索具ハードウエアに関する。
【背景技術】
【０００２】
多数の拡声器を積重ねた配列を装備する場合、所望の聴取範囲及び音響性能を達成するため、多数の拡声器間では垂直方向の傾斜（splay）が望ましいが、本発明は、このような多数の拡声器を積重ねた配列を装備するのに特定の用途を有する。
【０００３】
大きい開催地用の音響システムは、大聴衆にとって所望の音響出力及び聴取可能範囲（coverage）を達成するため、多数の拡声器の積重ね群を垂直方向の配列で懸垂又は“フライング（flying）”させている。このような多数の拡声器を垂直方向に積重ねた配列群は通常、索具システムにより共に懸垂、保持される。索具システムは、これらの積重ね配列群を所望の高さ及び位置に、通常、演奏舞台上又はその近辺に位置決めする索具ホイストに取り付けることができる。拡声器をフライングさせた（flown）積重ねは、多数のスピーカーボックスを含むことができ、積重ねをフライングさせるための索具システムは、大きな積重ねの重量を支持するのに十分強くなければならない。このような索具システムは、一般に金属側部フレーム素子をスピーカーボックスに固定して使用している。これらの金属側部フレーム素子は、積み重ね配列中の多数のスピーカーを一緒に結合する（link）と共に、この積重ねを頭頂のフライング位置に持ち上げるのに使用できる。
【０００４】
通常、索具システムで保持され、垂直方向に積み重ねた拡声器の個々のスピーカーボックスは、特定用途の要件に適合するよう調節しなければならない。スピーカー間で適切な角度、即ち、“傾斜角度”を設定することは、所望の音響性能を達成すると共に、積み重ねたスピーカー間の音響出力の影響を最小化するのに重要であり得る。所望の傾斜角度を作るため、積み重ねたスピーカーの索具フレーム間の結合力を調節すれば、傾斜角度は調節できる。このような一調節法は、２００３年１１月４日Ian Messnerに特許付与された米国特許第６，６４０，９１２４号（“Messner特許”）に開示されている。Messner特許は、傾斜角度をカム板で調節する索具システムを開示している。このカム板は、一拡声器の側部の底部前方端部から延在して、直下の該拡声器の側部フレームの頂部前方端部と係合する。傾斜角度を設定するため、カム板は、下側フレームの頂部にあるカム板受取り溝中に操り入れ（manipulate into）、所望のカム孔が下方のフレーム中のピン孔と整列した時、ピン留めしなければならない。
【０００５】
２０１０年４月２６日John Monittoに特許付与された米国特許第７，６９３，２９６号（“Monitto特許”）には、改良索具システムが開示されている。Monitto特許は、拡声器用の側部フレーム及び連携する枢軸・傾斜調節リンクを開示している。これらの枢軸・傾斜調節リンクは、握り構造を用いて操縦しやすく、またフレーム構造の底部コーナー領域中の収納溝から、下方の拡声器のフレーム構造の頂部コーナー領域中の受取り構内まで下方に延長可能である。傾斜調節リンクの底部拡張端部は、多数のピン孔が並んだ配列を含み、これらのピン孔は、側部フレームの底部コーナー領域内に設けられた１列以上のピン孔列中の１個のピン孔と選択的に調和（match）でき、これにより傾斜角度は或る範囲の角度に亘って調節可能になる。この索具システムでは、各対の拡声器は、これらのリンクを下方の拡声器のフレーム構造中の受取り溝中に開放し、適当な所にピン留めし、次いでホイストを用いて頂部拡声器又は積み重ねた拡声器を持ち上げ、傾斜調節リンク中のピン孔を側部フレームの底部コーナー領域中のピン孔と一列に並べることにより、一度で連結した対（interlinked one）となることが必要である。このような作業は時間がかかるばかりでなく、一群の積み重ねた拡声器中の索具付き拡声器の数及び付加重量が増大するのに従って、ますます困難になる。一群の積み重ねた拡声器の重量が次第に増大すると、索具ホイストで持ち上げた時、跳ね上がる可能性があり、このため、側部フレーム中のピン孔をリンク中のピン孔と整列させることが困難となり、装置や索具に対する物理的損傷の可能性が増大する。
【発明の概要】
【発明が解決しようとする課題】
【０００６】
したがって、多数の拡声器の積重ね中の連結されている各対の拡声器を持ち上げると共に、正確に整列させる必要のない拡声器用索具システムが必要である。また、側部フレーム中にリンクを有する索具システムも必要である。この索具システムは、連結されている拡声器上の一群の積み重ねた拡声器中の全ての拡声器よりもむしろリンクだけ動かすことで、隣接する拡声器を連結するのに使用できる。また、組み立てが比較的容易で、しかも増量の少ない傾斜角度調節能力を有する索具システムを提供する必要がある。
【課題を解決するための手段】
【０００７】
【発明を実施するための形態】
【０００８】
【図面の簡単な説明】
【０００９】
【図１Ａ】上方向に延在する結合用リンクを有する拡声器索具システムの拡大上方透視図である。
【００１０】
【図１Ｂ】図１Ａの拡声器索具システムのフレーム構造の左上方透視図である。
【００１１】
【図２】図１Ｂに示したフレーム構造の中心コアアセンブリーの正面図である。
【００１２】
【図３】図１の拡声器索具システムのフレーム構造を示す正面図である。
【００１３】
【図４Ａ】前方側部プレートを除いた他は、拡声器索具システムのフレーム構造を示す、図３と同様な正面図である。
【００１４】
【図４Ｂ】結合用リンクの上方向移動を示す、図４Ａと同様な接写正面図である。
【００１５】
【図４Ｃ】上方向の配置に付かせた（deployed）結合用リンクを有する１対の垂直方向に隣接した拡声器のフレーム構造を示す、図４Ａと同様な正面図である。
【００１６】
【図４Ｄ】複数の傾斜角度位置のうちの１つの位置への傾斜調節リンクの移動を示す、図４Ｂと同様な正面図である。
【００１７】
【図５】結合用リンクを操るのに使用される握りノブの上方透視図である。
【００１８】
【図６】代表的な留めピンの上方透視図である。
【００１９】
【図７】枢軸リンクの上方透視図である。
【００２０】
【図８】傾斜調節リンクの上方透視図である。
【００２１】
【図９】本発明による外側プレートを重ねた刻印プレートを示すと共に、各々選択された傾斜角度を表す種々の位置での傾斜調節リンクを示す正面図である。
【００２２】
【図９Ａ】図９に見られる標識板の接写正面図である。
【００２３】
【図１０Ａ】上方向に延在する結合用リンクを有する本発明の拡声器索具システムを用いて相互連結された多数の拡声器の積重ねの正面図である。
【００２４】
【図１０Ｂ】第一セットの選択された傾斜角度位置まで開かれた積重ね中の多数の拡声器によるフライングされた位置における、図１０Ａに示す相互連結した多数の拡声器の積重ねを示す正面図である。
【００２５】
【図１０Ｃ】第二セットの選択された傾斜角度位置まで開かれた積重ね中の多数の拡声器によるフライングされた位置における、図１０Ａに示す相互連結した多数の拡声器の積重ねを示す正面図である。
【００２６】
発明を実施するための最良の形態
上方向に延在する結合用リンクを有する拡声器索具システムは、総合的に図１Ａにおいて１０で示され、外側板１６と内側板１８の間に挟まれたコアアセンブリー１４を有するフレームアセンブリー１２を備える。外側板１６及び内側板１８は、図１Ｂに示すように、好適な外側ファスナー２０及び内側ファスナー２２によりコアアセンブリー１４に固定されている。図２に最も良く見られるように、コアアセンブリーの底部コーナーは、後述するように、フレームアセンブリーのリンク受取り用溝の案内表面２８，３０を形成する２つの切欠け部分２４，２６を有する。フレームアセンブリー１２の頂部コーナーは、以下に詳細に説明するように、枢軸リンク３６及び傾斜調節リンク３８を保持するための収納用溝を形成する２つの開き領域３２，３４を有する。
【００２７】
再び図１Ａを参照すると、フレームアセンブリー１２は、従来の索具クレーンで見られるハンドル又はステッピングレール（stepping rail）として働く横棒４０も備える。横棒４０は２つのブラケット４２間に延在する。これらのブラケット４２は、好適なファスナー４４により外側板１６に固定され、またファスナー４４はファスナー受取り孔４５と係合している。
【００２８】
図１Ａはフレームアセンブリー１２の形状及び配置形態（configuration）と一致するガスケット４６も示している。ガスケット４６は、好適な柔軟性材料から形成され、フレームアセンブリー１２を拡声器の側部に設けた時、フレームアセンブリーの背後に使用できる。ガスケット４６の裏側には、好適な接着材料が供給され、該フレームを拡声器の上に載せる際、接着材料は拡声器に付着する。
【００２９】
フレームアセンブリー１２が部品のアセンブリーの代わりに単位フレーム構造として形成できることは理解されよう。
【００３０】
図１Ｂは、図１Ａに見られるフレームアセンブリー１２を、それぞれの収納用溝内の枢軸リンク３６及び傾斜調節リンク３８と共に組み立てたフレーム構造４８を示す。この組み立てたフレーム構造は、従来の拡声器の複数の側部に一致する概略長方形で、前方頂部コーナー領域５４及び後方頂部コーナー領域５６，並びに前方底部コーナー領域５８及び後方底部コーナー領域６０を有する。底部コーナー領域５８，６０は、後述するように、２つの隣接する拡声器を相互連結するため、下方にある拡声器の側部フレームの頂部コーナー領域５４，５６に運ばれた結合用リンク３６，３８を受け取る。後述するように、底部留めピン５２を底部留めピン孔６６，６８に挿入すると共に、頂部留めピン５０，５２を、フレーム構造４８の頂部コーナー領域５４，５６に配置された、複数の傾斜角度選択ピン孔６４のうちの１つのピン孔及び枢軸リンク留めピン孔６２に挿入することにより、結合用リンクを適切な位置でピン留めするために、留めピン５０，５２が使用される。好適な留めピンは図６に示されるような市販の急速開放ピンである。
【００３１】
図１Ａは、結合用リンク３６，３８に付着し、拡声器システムの索具で握られるように、フレーム構造の外側板１６から延在する握りノブ７０，７２も示している。更に詳しくは、握りノブ７０は枢軸リンク３６近くの外側板１６に形成された垂直方向案内スロット７４を通って枢軸リンク３６に結着している。同様に、握りノブ７２は傾斜調節リンク３８近くの外側板１６の反対側に形成された垂直方向案内スロット７６を通って傾斜調節リンク３８に結着している。延在ノブ７０，７２を握ることにより、リンク自体を掴む必要なく、結合用リンク３６，３８を、垂直方向案内スロット７４，７６の十分な程度まで上下動させることができる。これにより、索具の手がリンクと索具フレームの間又は２つの隣接する拡声器の索具フレームの間を掴まえることができるという危険性は低下する。
【００３２】
図２を見ると、コアアセンブリ１４は傾斜調節リンクフレーム部材７８，枢軸リンクフレーム部材８０，及びフレーム部材７８，８０間に延在する頂部及び底部橋架け棒７８，８０を備えている。フレーム部材７８，８０及び橋架け棒８２，８４は、外側板及び内側板１６，１８がファスナー２０，２２によりフレーム部材及び橋架け棒に結着すると、互いに堅く保持される。ファスナー２０，２２は、ファスナー受取り孔８６中にネジ止めされる（threaded）。コアアセンブリ１４は、図示のように、複数の部分（sections）で作製する代わりに、単一片（piece）として形成してもよいことは理解されよう。
【００３３】
図３，４Ａ，４Ｂ及び４Ｃは、それぞれの収納用溝中に収納され、上方向に延在する結合用位置での結合用リンク３６，３８を示す。図３に示す、組み立てたフレーム構造４８の外側板１６は、説明を明確化するため、図４Ａ〜４Ｄでは除いた。図５は、握りノブの詳細を例示する。図５に示すような握りノブは、Monitto特許に詳細に記載されている。図６は留めピンを例示する。図８及び９は結合用リンク３６，３８を更に詳細に例示する。
【００３４】
図６に示すような市販の急速開放ピンは頂部留めピン５０としても底部留めピン５２としても使用できる。好適な急速開放ピンは、Jergems, Inc.( Cleveland, Ohio)製の、耐食性鋼スピンドルを有する単一活動性ポジティブ留めピンである。好適な急速開放ピンは、先導面取り端部（leading chamfered end）及び握り端部を有する長尺の鋼スピンドルを備える。親指で活性化した押し下げ可能な開放ボタン（thumb actuated, depressible release button）は、索具構造及び索具リンク中の留めピン孔及び留めピン収納用孔を通してピンを押し付けると、戻り止め（detente）ボールを引き込むことができる内部ばね開放機構を活性化する。こうして挿入されたピンによりボタンが開放されると、急速開放ピンは適切な位置に留まる。
【００３５】
本発明に従って索具側フレームを用いた拡声器索具システムは、２つのフレームを有し、拡声器の各側部用のフレームは、拡声器の積重ねの中の各拡声器に索具を付ける（rig）ことを可能にする。名目上、各側部フレームは、該フレームと連携した（one associated）傾斜調節リンク３８及び該フレームと連携した枢軸リンク３６を有し、各フレームはフレーム構造中に収納でき、またフレーム構造から配置に付かせる（deploy）ことができる。各索具側フレームも拡声器の積重ねのうち、垂直方向下方にある一拡声器の側部フレームに関して、傾斜調節リンクの上端部及び枢軸リンクの上端部を受け取ることができる。
【００３６】
図８は延長可能な頂端部８８及びベース端部９０を有する傾斜調節リンク３８を示す。頂端部８８は、頂部ピン孔９２を有し、ベース端部９０は垂直方向に延在する傾斜角度スロット９４の配列及び複数の傾斜角度ピン孔９６を有する。ベース端部９０の横方向拡がり９８は、握りノブ７２（図１Ａ参照）を受け取るためのネジ山付き孔１００を有する。傾斜調節リンク３８の延長可能な頂端部８８は、フレーム構造４８の底部コーナー領域５８にある傾斜調節リンク受取り溝１０４の、下方の対面する案内表面２８に対応する丸い頂部表面１０２を有する。図１Ｂ及び図４Ａ参照。前記受取り溝１０４は、フレーム構造のコアアセンブリ１４にある切欠け部分２４により側部板１６，１８間に形成される。図１Ａ及び図２参照。外側板及び内側板１６，１８中の前方底部留めピン孔６８は、受取り溝１０４の中央に配置され（図１Ｂ，図３及び図４Ａ参照）、これにより、傾斜調節リンク３８の延長可能な頂端部８８を受取り溝１０４内に持ち上げた時、その頂部表面１０２は案内表面２８と係合する結果、頂端部のピン孔９２は、図４Ｃに示すように、留めピン孔６８と整合する。こうして案内された自己整合により、傾斜調節リンク３８を、積み重ねた多数の拡声器に索具を付ける際、下方にある拡声器の索具側フレームのフレーム構造の前方底部コーナー領域５８にピン留めするのが容易になる。
【００３７】
図７は延長可能の頂端部１０６及びベース端部１０８を有する枢軸リンク３６を示す。ベース端部１０８は、握りノブ７０を受け取るための握りノブ取付け金具孔１１０（図１Ａ及び図５参照）。枢軸リンク３６の頂端部１０６は傾斜調節リンク３８の丸い頂部表面と同様な凸状表面１１２を有する。凸状頂部表面１１２は、フレーム構造４８の後方底部コーナー領域６０にある枢軸リンク受取り溝１１４の、下方の対面する案内表面３０に対応する凸状頂部表面１１２を有する。図４Ａ参照。枢軸リンク受取り溝１１４はフレーム構造のコアアセンブリ１４の切欠け部２６により側部板１６，１８間に形成される。図２，図３及び図４Ａ参照。外側板及び内側板１６，１８中の後方底部留めピン孔６６は受取り溝１４の中央に配置され（再び図１Ｂ，図３及び図４Ａ参照）、これにより、枢軸リンク３６の頂端部１０６を受取り溝１１４内に持ち上げた時、枢軸リンク３６の頂端部１０６の頂部表面１１２は、受取り溝１１４中で頂端部１０６を案内し位置決めする枢軸リンク受取り溝１１４の、下方の対面する案内表面３０と係合する結果、上部ピン孔１１６はフレーム構造４８の後方底部コーナー領域６０にある留めピン孔６６と整合する。傾斜調節リンク受取り溝によって、この自己整合の特徴は、枢軸リンク３６を直上の拡声器の索具側フレームのフレーム構造中の底部コーナー領域６０にピン留めするのを容易にすることである。
【００３８】
再び図２，図４Ａ，図４Ｂ及び図４Ｃを参照すると、傾斜調節リンク収納用溝１１８及び枢軸リンク収納用溝１２０は、フレーム構造の底部リンク受取り溝１０４，１１４とは垂直方向に反対側の前方及び後方頂部コーナー領域５４，５６に設けられることが判る。前述のように、収納用溝１１８，１２０は、フレームアセンブリーのコアアセンブリー１４中の開き領域３２，３４により形成される。これらの開き領域は外側板及び内側板１６，１８により拘束される。フレーム構造４８の後方頂部コーナー領域５６中の枢軸リンク留めピン孔６２（例えば図３参照）と枢軸リンクの上部ピン孔１１６（例えば図４Ａ参照）との整合により、枢軸リンク３６を図４Ａに示す収納位置３６Ｓにピン留めすることができる。また枢軸リンク留めピン孔６２と枢軸リンクの下部ピン孔１２４との整合により、図４Ｂ及び図４Ｃに示すように、枢軸リンク３６を、結合（linked）位置３６Ｌにピン留めすることができる。同様に、フレーム構造４８の頂部コーナー領域５４中の前方頂部中心傾斜角度選択孔１２６（図３参照）と傾斜調節リンクの頂部ピン孔９２との整合により、傾斜調節リンク３８を、図４Ａに示すように、収納（stowed）位置３８Sにピン留めすることができる。
【００３９】
図８について前述したように、フレーム構造４８の前方底部コーナー領域５８中の底部留めピン孔６８と下方にある拡声器の索具フレームの傾斜調節リンク３８の頂部ピン孔９２との整合により、傾斜調節リンク３８を、図４Ｃに示す結合用位置３８Ｌ中で隣接する索具フレームにピン留めすることができる。図４Ｃは図４Ａと同様であるが、更に、結合用位置３８Ｌにおいて上方のフレーム構造４８に連結した下方の拡声器の側部フレーム４８’（部分的に例示した）から延在する傾斜調節リンク３８’を示している。また図４Ｃは、結合位置３６Ｌにおいてフレーム構造４８に連結した下方の拡声器の側部フレーム４８’から延在する枢軸リンク３６’も示している。傾斜調節リンク３８が結合用位置３８Ｌ中にあれば、フレーム構造４８の底部傾斜角度留めピン孔１２８（図３参照）は傾斜調節リンクの底部傾斜角度ピン孔９７（図４Ｂ及び図８参照）と整合するので、例えば相互連結した拡声器の積重ねを輸送する際、傾斜調節リンク３８を結合用位置３８Ｌ中でピン留めし、留めることができる。
【００４０】
引続き図４Ｃを参照すると、傾斜調節リンク３８が結合用位置３８Ｌ中にあれば、外側板及び内側板１６，１８中の複数の傾斜角度選択ピン孔６４は傾斜調節リンク３８中の複数の傾斜角度スロット９４と整列される。図３及び図４Ｂも参照。傾斜角度スロット９４は、２つの隣接する拡声器の側部フレーム間の正確な傾斜角度の選択を容易にする。傾斜調節リンク３８が、図４Ｃに示した結合用位置３８Ｌ中でピン留めされると、頂部ピン５０は、複数の傾斜角度選択ピン孔６４のうちの１つのピン孔（再び図３参照）に挿入でき、これにより、直上のフレーム構造に関して、フレーム構造に索具を付けることが望ましい傾斜角度に従って、傾斜調節リンク３８の対応する傾斜角度スロット９４に挿入できる。いったんピンが所望の傾斜角度選択ピン孔６４に挿入されると、傾斜調節リンク３８は、結合用位置３６Ｌから図９に示す複数の傾斜角度位置のうちの選択された１つの位置まで上方向に移動できる。この選択された傾斜角度位置は、既に選択された傾斜角度スロット９４の下端部９５が、前記選択された傾斜角度選択ピン孔６４に挿入されたピン５０と係合した際に到達したもので、これにより、傾斜調節リンク３８の更なる上方向への移動は制限される。フレーム構造４８に関して、傾斜調節リンク３８の一般的な傾斜角度位置３８Ａを図４Ｄに示す。傾斜調節リンク３８が、図９に示すような選択された傾斜角度位置に移動すると、外側板及び内側板１６，１８に設けた複数の傾斜角度留めピン孔１３６のうちの１つのピン孔は、傾斜調節リンク３８のベース端部９０に設けた複数の傾斜角度留めピン孔９６のうちの１つのピン孔と整合する。したがって、傾斜調節リンク３８は、整列した傾斜角度留めピン孔１３６及び傾斜角度留めピン孔９６に他の１つのピンを挿入することにより適切な位置に留めることができる。
【００４１】
次に図９及び図９Ａを参照すると、それぞれ傾斜角度選択ピン孔６４、傾斜角度留めピン孔１３６に対応するパターンで配置されて、外側板及び内側板１６，１８に設けた上部指示孔及び下部指示孔１３２，１３４の配列を有する標識板１３０は外側板１６に取り付けられる。標識板１３０は下記角張った範囲を指示するため、各上部指示孔１３２に隣接して印１３８を有する。選択された上部指示孔１３２に対応する傾斜角度選択ピン孔６４に留めピンが存在する場合、傾斜調節リンク３８が上方向に移動すると、側部フレームは角張った範囲中を通る。例えば、拡声器に０．５°の傾斜角度で索具を付けると決めたならば、索具器はピンを上部指示孔１３２Ａに挿入できる。同様に、拡声器に１°，１．５°，２°，２．５°，３°，４°又は５°の傾斜角度で索具を付けることが望ましいならば、索具器は第二のピンをそれぞれ上部指示孔１３２Ｂ，１３２Ｃ，１３２Ｄ，１３２Ｅ，１３２Ｆ，１３２Ｇ及び１３２Ｈに挿入できる。標識板１３０中の各下部指示孔１３４での印１３８は、下記傾斜角度を指示する。複数の傾斜角度留めピン孔１３６のうちの選択された１つのピン孔及び傾斜調節リンク３８の対応する傾斜角度ピン孔９６にピンを挿入すると、側部フレームは索具器によって、直上の側部フレームに関して留められるが、こうして側部フレームが留められる際の傾斜角度である。例えば傾斜調節リンク３８が０．５°の傾斜角度で上昇した場合、下部指示孔１３４Ａにピンを挿入すると、索具器は、隣接する側部フレームに関して傾斜角度０．５°の側部フレームによって、傾斜調節リンク３８を適切な位置に留める。同様に、傾斜調節リンク３８が１°，１．５°，２°，２．５°，３°，４°又は５°の傾斜角度で上昇した場合、それぞれ下部指示孔１３４Ｂ，１３４Ｃ，１３４Ｄ，１３４Ｅ，１３４Ｆ，１３４Ｇ及び１３４Ｈにピンを挿入することにより、前記リンク３８を適切な位置に留めることができる。最終的に、傾斜調節リンク１３８を同等の傾斜角度０°で結合用位置３８Ｌ中に留めることが望ましいならば、ピンは底部指示孔１４０に挿入すればよい。
【００４２】
当業者ならば、索具器に有用な型板を提供する限り、標識板１３０は厳密には必要はないと理解されよう。提供した傾斜角度は、例示の実施形態に示したものとは変えてもよいと理解すべきである。
【００４３】
相互連結した多数の拡声器の積重ねを輸送する際、複数の頂部ピン５０のうちの１つのピンは、枢軸リンク３６を図３及び図４Ａに示す収納した位置３６Ｓに確保するため、側部フレームの外側板及び内側板１６，１８にある枢軸リンク留めピン孔６２中に枢軸リンクの上部ピン孔１１６を通って挿入してよい。輸送中、側部フレームを保管すると共に、積み重ねた多数の拡声器に索具を付ける際、側部フレームが容易に利用できるように、複数の底部ピン５０のうちの１つのピンは、側部フレームの外側板及び内側板１６，１８にある後方底部留めピン孔６６に挿入してよい。同様に、輸送中、複数の頂部ピン５０のうちの１つのピンは、傾斜調節リンクの頂部ピン孔９２を通って、外側板及び内側板１６，１８中の頂部中心傾斜選択孔１２６に挿入してよいし、また複数の底部ピン５２のうちの１つのピンは、図３及び図４Ａに示す収納位置３８Ｓに傾斜調節リンク３８を確保するため、傾斜調節リンクの底部傾斜角度ピン孔９７を通って、外側板及び内側板１６，１８中の底部傾斜傾斜角度留めピン孔１２６に挿入してよい。
【００４４】
積み重ねた多数の拡声器中の２つの隣接する拡声器の索具側フレームを相互連結するため、枢軸リンク３６の上方向への移動が自由になるよう頂部ピン５０を取り外して、まず枢軸リンク３６を図４Ａに示す収納位置３６Ｓから開放する。底部ピン５２は、後方底部留めピン孔６６の保管位置から都合よく取り外すことができる。次いで、握りノブ７０を用いて枢軸リンク３６を、図４Ｂに示す結合位置３６Ｌに上昇させる。次いで、頂部ピン５０は、直上にある拡声器の側部フレームの外側板及び内側板１６，１８中の枢軸リンク留めピン孔６６に挿入される。この枢軸リンク留めピン孔６６は、今や枢軸リンク３６の上部ピン孔１１６と整合している。次いで、底部ピン５２は外側板及び内側板１６，１８にある枢軸リンク留めピン孔６２に挿入され、これにより枢軸リンク３６を結合位置３６Ｌに留めると共に、図４Ｃに示すように、側部フレームを直上の拡声器の側部フレームに連結させる。
【００４５】
同様なやり方で、傾斜調節リンク３８は、頂部ピン５０を取り外すことにより、その収納位置３８Ｓから開放する。次いで、握りノブ７２を用いて角度調節リンク３８を、図４Ｂに示す結合位置３８Ｌに上昇させる。この時点で傾斜調節リンク３８の頂部ピン孔９２は、直上にある拡声器の側部フレームの外側板及び内側板１６，１８中の底部留めピン孔６８と整合する。次いで、頂部ピン５０は、整合した孔９２，６８に挿入して、図４Ｃに示すように、傾斜調節リンク３８を直上にある拡声器の側部フレームに連結する。次いで、底部ピン５２が外側板及び内側板１６，１８にある複数の傾斜角度選択ピン孔６４のうちの選択された１つのピン孔に挿入される。この時点までの工程は、図１０Ａに示すように、ピックアップ板１４３により吊り上げられる積み重ねた多数の拡声器１４２のような積み重ねた多数の拡声器中に索具が付けられている全ての拡声器の側部フレームに対し実施可能である。次いで、積重ね全体は持ち上げられ、図４Ｄに示すように、底部ピン５２（図示せず）が挿入される傾斜角度選択スロット９４の底端部９５が底部ピン５２と接触するまで各傾斜角度調節リンク３８を上方向に上昇させ、これにより、図１０Ｂに示すように、１つの持ち上げ操作において、各拡声器の側部フレームを、直上の拡声器の側部フレームに関して所望の傾斜角度に設定する。いったん拡声器の積重ねが、フライングされた位置まで持ち上げられると、図９に見られるように、傾斜調節リンク３８中の複数の傾斜角度ピン孔９６のうちの１つのピン孔と整列される複数の傾斜角度留めピン孔１３６のうちの１つのピン孔に底部留めピン５２を挿入してよい。これにより、各拡声器の側部フレームは、直上の拡声器の側部フレームに関して指定の傾斜角度で留まる。図１０Ｃは図１０Ｂと同様であるが、異なるセットの傾斜角度で索具を付けた多数の拡声器１４２の積重ねを示す。
【００４６】
もう一度、図１Ｂを参照すると、フレーム構造４８は頂部ロケータータブ及び底部ロケータータブ１４４，１４６を備える。ロケータータブ１４４，１４６は、複数の収容（nesting）対に設けられ、図４Ｃ及び図１０Ａに示すように、積重ねた多数の拡声器中の１つの拡声器の側部フレームを、この積重ね中の他の１つの拡声器の頂部に配置すると、頂部ロケータータブ１４４は底部ロケータータブ１４６内に収まる（nest）ようになっている。ロケータータブ１４４，１４６を操って（maneuver）、この収容関係に入れることにより、垂直方向に隣接する拡声器のフレーム構造は、正確な前方と後方との整合状態で（in precise front-to-back alignment）位置決めされる。このような対形成は配列し直すか、或いは入れ替えて、同様な収容関係を提供できることは理解されよう。
【００４７】
本発明の上方向に延在するリンクを用いて、積み重ねた多数の拡声器に索具を付けると、従来の索具システムよりも顕著な利点が得られる。本発明の上方向に延在するリンクを用いて、多数の拡声器の積重ねを上方向に持ち上げると、隣接する拡声器の各対は、選択された傾斜角度に開く。更に、隣接する拡声器の各対に対して、異なる傾斜角度を選択することができる。傾斜調節リンクは自動的に選択された傾斜角度に開くので、隣接する拡声器の各対の側部フレームは、容易且つ迅速に留めピンの使用位置に留めることができる。
【００４８】
こうして、上方向に延在するリンクを有する本発明による拡声器索具システムの特定の好ましい実施形態を説明し例証した。本発明を詳細に説明し例証したが、実施形態は単に例証及び例示のためであり、限定のためと取られるべきではなく、本発明の精神及び範囲は付属の特許請求の範囲に記載の用語及びそれらの法的均等物によってのみ限定される。
【符号の説明】
【００４９】
１０    拡声器索具システム
１２    フレームアセンブリー
１４    コアアセンブリー
１６    外側板又は側部板
１８    内側板又は側部板
２０    外側ファスナー
２２    内側ファスナー
２４，２６    切欠け部分
２８，３０    案内表面
３２，３４    開き領域
３６    枢軸リンク
３８    傾斜調節リンク
４４    ファスナー
４６    ガスケット
４８    フレーム構造
５０，５２    結合用ピン又は留めピン
６４    傾斜角度選択ピン孔
６６，６８    留めピン孔
７０，７２    握りノブ
７４，７６    垂直方向案内スロット
９４    傾斜角度スロット
１１８  傾斜調節リンク収納用溝
１２０  枢軸リンク収納用溝
【先行技術文献】
【特許文献】
【００５０】
【特許文献１】米国特許第６，６４０，９２４号
【特許文献２】米国特許第７，６９３，２９６号
【図１Ａ】
0005998219.tif 000002
【図１Ｂ】
0005998219.tif 000003
【図２】
0005998219.tif 000004
【図３】
0005998219.tif 000005
【図４Ａ】
0005998219.tif 000006
【図４Ｂ】
0005998219.tif 000007
【図４Ｃ】
0005998219.tif 000008
【図４Ｄ】
0005998219.tif 000009
【図５】
0005998219.tif 000010
【図６】
0005998219.tif 000011
【図７】
0005998219.tif 000012
【図８】
0005998219.tif 000013
【図９】
0005998219.tif 000014
【図９Ａ】
0005998219.tif 000015
【図１０Ａ】
0005998219.tif 000016
【図１０Ｂ】
0005998219.tif 000017
【図１０Ｃ】
0005998219.tif 000018